(57)【要約】【課題】  本願の発明は粒状の菓子その他の包装物を収容した上向開口容器をコンベヤ等の輸送装置上に多数並置し、移送中に上向開口部に上蓋の下向壁板を乗せるだけで、上蓋の重量のみで上記開口容器を迅速確実に密閉状態に量産し得るばかりでなく、収容物を安定的に包装することを目的とする。【解決手段】  底板１の外周に沿って上向壁板２を立設して上向開口容器３を形成し、上記上向壁板２の外周下端に沿って等幅フランジ４を突設し、上記上向壁板２の外周面に上記フランジ４の上面に至る上蓋内側面案内リブ７を複数突設し、該リブ７のそれぞれ下端部外端と上記等幅フランジ４の上面外周との間に上記上蓋５の下向壁板６の下端面６”を支持し、上記案内リブ７を上記上向壁板２の外周面の少なくとも４方に設けてなり、かつ上記底板１及び上記上蓋５の天井板５’の形状が相似形である包装容器。【選択図】  図１
2010215264.tif 000002
【特許請求の範囲】
【請求項１】
底板の外周に沿って上向壁板を立設して上向開口容器を形成し、上記上向壁板の外周下端に沿って等幅フランジを突設し、
上記上向壁板の外周面に上記フランジの上面に至る上蓋内側面案内リブを複数突設し、該リブのそれぞれ下端部外端と上記等幅フランジの上面外周との間に上記上蓋の下向壁板の下端面を支持し、
上記案内リブを上記上向壁板の外周面の少なくとも４方に設けてなり、かつ上記底板及び上記上蓋の天井板の形状が相似形である包装容器。
【請求項２】
上記底板及び上記天井板の平面視両端の曲率が大小異なる円弧形で、該両端を接続する両側の曲率が対称の円弧形である異形楕円容器である請求項１記載の包装容器。
【発明の詳細な説明】
【技術分野】
【０００１】
本発明は菓子等の定形品をコンベア上の容器に複数収容し、蓋を上から密封する包装容器に関するものである。
【背景技術】
【０００２】
従来、有底で、円筒形の胴部と、この胴部の上端に段部を形成すると共に、上方に向け開口部を形成した本体部の開口部の外周の平面視形状を楕円形に形成すると共に、この開口部に嵌め込む蓋部の内周の平面視形状を楕円形とした容器が開発され、蓋部と本体部を簡単にきちんと固着でき容易、安価に製作し得る容器が提供された（例えば特許文献１）。
【０００３】
又、本体部を蓋で閉鎖するため手動で押圧する容器が開発されている（例えば特許文献２、３）。
【０００４】
上記特許文献１では本体部の開口部の外周と、蓋部１０の開口部の内周とが密接し、閉鎖時に蓋部の下降により内部空気圧が増加し、蓋部の自重による自然閉鎖が困難であり、
又、第２第３の特許文献にしても蓋で本体部を閉じる際、人力により押圧し、係合部を係合閉鎖しなければならない。
【０００５】
何れにしても、閉鎖に際し、本体部の内部空気を排出するため、蓋を押圧により閉鎖しなければならないため、上向開口容器の開口部を上蓋の自重のみで自然に閉鎖することができない。そのため、ベルトコンベヤ上に並べた上向開口容器内に内容物を収容し、その後上蓋を開口部に乗せるのみで、上向開口容器を上蓋の自重のみで閉鎖し、コンベヤ等による収容物の多量包装作業を簡便に行うことはできず、容器の開口部外周面と上蓋の下向壁板の内周面との間の空間又は間隙により、容器と上蓋との間にガタを生じ、密封は困難であった。
【０００６】
【特許文献１】実用新案登録第３０５１８５９号公報
【特許文献２】特表平９−５０９６３７号公報
【特許文献３】特開２００４−５９０５５号公報
【発明の概要】
【発明が解決しようとする課題】
【０００７】
本願の発明は粒状の菓子その他の包装物を収容した上向開口容器をコンベヤ等の輸送装置上に多数並置し、移送中に上向開口部に上蓋の下向壁板を乗せるだけで、上蓋の重量のみで上記開口容器を迅速確実に密閉状態に量産し得るばかりでなく、収容物を安定的に包装することを目的とする。
【課題を解決するための手段】
【０００８】
上記の目的を達成するため本発明は
第１に底板の外周に沿って上向壁板を立設して上向開口容器を形成し、上記上向壁板の外周下端に沿って等幅フランジを突設し、上記上向壁板の外周面に上記フランジの上面に至る上蓋内側面案内リブを複数突設し、該リブのそれぞれ下端部外端と上記等幅フランジの上面外周との間に上記上蓋の下向壁板の下端面を支持し、上記案内リブを上記上向壁板の外周面の少なくとも４方に設けてなり、かつ上記底板及び上記上蓋の天井板の形状が相似形である包装容器、
第２に上記底板及び上記天井板の平面視両端の曲率が大小異なる円弧形で、該両端を接続する両側の曲率が対称の円弧形である異形楕円容器である上記第１発明記載の包装容器、
によって構成される。
【０００９】
従って、ベルトコンベヤ上に多数配列した上向開口容器内には塊状の菓子が複数（定数）収容され、移送される。
【００１０】
その状態で、上蓋の内側面下端部を上記開口容器の上向壁板の上端部に符合させて手を離すと、上蓋の下向壁板と上記上向壁板との間の小間隙から上蓋及び開口容器内の空気が上蓋の重量に押圧されて上記小間隙から外部に速やかに排出される。上記小間隙は複数の上記案内リブによって保持され、上蓋の下向壁板の下端面が上記等幅フランジの外周上面に接触し、それによって上記上向開口容器は上蓋によって密封される。
【００１１】
又、上記容器及び上蓋の底板及び天井板の平面視両端の曲率が大小異なる円弧形で、両側の曲率が対象の円弧形である異形楕円容器であるため、収容した複数の塊状菓子等が該容器の異形円弧形内側面に接して摺動又は振動が比較的緩和される。
【発明の効果】
【００１２】
本発明は上述のように構成したので、菓子等の小塊状製品を複数個収容した上向開口容器の上向壁板の上端に上蓋の下向壁板の下端部を符合配置するのみで、内部空気が複数の上記案内リブ間の間隙から自動的に排出されて上蓋を外力を要することなく上向開口容器の上記リブで自動案内して該容器の上記フランジ上面に上蓋の下向壁板の下端を接触し得て、上記容器を外力を要せず密封し得るばかりでなく、かつ上記容器内収容物の摺動を上記円弧形内面によって抑制し得る効果がある。
【図面の簡単な説明】
【００１３】
【図１】本発明の包装容器を示す斜視図である。
【図２】上向開口容器の平面図である。
【図３】図２の正面図である。
【図４】（イ）図は図２の一部拡大図、（ロ）図は（イ）図の正面図、（ハ）図は（ロ）図の他例の正面図である。
【図５】（イ）図は上記容器に上蓋を接した状態の正面図、（ロ）図は上蓋の下部が案内リブに接した状態の正面図、（ハ）図は上蓋の下向壁板の下端面が案内リブの上面に接した状態の正面図である。
【発明を実施するための形態】
【００１４】
硬化合成樹脂製の上向開口容器３は底板１の外周に沿って、上向壁板２を立設して形成される。
【００１５】
上記上向壁板２の外周下端に沿って等幅フランジ４を突設する。
【００１６】
上記上向壁板２の外周面には上記フランジ４の上面中程に至る上蓋５の下向壁板６の内側面６’を案内する複数（６個）のリブ７を間隔ｓ（図５（イ）図）を介して上向壁板２の外周に縦向に設ける。
【００１７】
上記リブ７の上端は上向壁板２の中程に配置し、図４（ロ）図に示すように上端部７’を上向壁板２の外周面から下向に傾斜させ、又は図４（ハ）図に示すようにリブ７の上端から下端７”まで全体を下向に傾斜させる。
【００１８】
又、上記リブ７の下端部外端７”を上記フランジ４の上面中程に支持し、上記外端７”とフランジ４の外周４’との間に上蓋５の下向壁板６の幅に等しい支持面４”を設け、上蓋５の下向壁板６の下端面６”を上記支持面４”に接触させることにより蓋５を上記容器３の上記フランジ４の上面に密接させ、それにより上記容器３の内部を外部から遮断することができる。
【００１９】
勿論上記底板１と上蓋５の天井板５’とは相似形であり、
かつ上記底板１及び上記天井板５’とは平面視（図２）において１端の曲率ｒが小で他端の曲率Ｒが大で、かつ両側の曲率が対称の円弧形で、ほぼ平面視卵形の異形楕円容器を形成する。
【００２０】
従って、塊状の菓子等の収容物８を複数個（例えば５個）、上記容器３に収容すると図２に示すように両端の曲率が大小異なり、両側の曲率が対称であって全体として平面視卵形であるため上記収容物８は上向壁板２の内周面に接し、かつ互に接触して摺動のおそれが少なく安全に収容することができるばかりでなく、上記容器３の上向壁板２の外周面と、上蓋５の下向壁板６の内周面との間に上記案内リブ７の突出幅に相当する空間ｔを上記案内リブ７によって形成し、蓋５で上記容器３を閉鎖する際、容器３内の空気が上記空間ｔを経てリブ７，７の間隔ｓ及び下向壁板６の下端から外側に抜気し、迅速容易に例えば上蓋５の自重で上記容器３を閉鎖することができる。
【００２１】
上記閉鎖後は下向壁板６の下端面６”が上記フランジ４の上面（上記支持面４”）に密接し得て、上記蓋５の重さのみで内部空気を排出し、該蓋５で上記容器３を容易に密封し得るため、安全容易に上記容器３に内容物８を密封し、かつベルトコンベヤ９等で多量輸送し得るものである。
【産業上の利用可能性】
【００２２】
菓子等の塊状収容物８を複数安全かつ容易に収容し、かつ収容後に蓋５と容器３とのガタが少なく密封し、ベルトコンベヤ９上で簡便に手動で包装し、量産に適するものである。
【符号の説明】
【００２３】
１      底板
２      上向壁板
３      上向開口容器
４      等幅フランジ
５      上蓋
５’    天井板
６      下向壁板
６”    下端面
７      案内リブ
ｒ，Ｒ  曲率
【図１】
2010215264.tif 000003
【図２】
2010215264.tif 000004
【図３】
2010215264.tif 000005
【図４】
2010215264.tif 000006
【図５】
2010215264.tif 000007